(57)【特許請求の範囲】
【請求項１】
保持体と少なくとも１枚の剥離後の用途に応じた印刷又はその他の加工が施された剥離シートを備え、前記保持体は前記剥離シートを仮接着剤を介して剥離可能に保持してなる剥離シート保持体であって、
前記剥離シートは、その裏面が全体として前記仮接着剤により保持体に保持されており、
前記剥離シートの外周縁部と保持体との接着力に比し、前記外周縁部の内方部における剥離シートと保持体との接着力を全体として弱くし、
前記保持体における、前記剥離シートを保持する部分に、前記仮接着剤を介しての剥離シートの保持を損なわない程度に離型成分を含有したインキにより、用途に応じた印刷を施すことにより、
前記剥離シートを保持体から剥離させた場合に、その剥離シートがカールした状態となりにくくすると共に、保持体における前記剥離シートの剥離により表れる部分の前記印刷が仮接着剤と共に保持体から剥がれることを防ぐものであることを特徴とする剥離シート保持体。
【請求項２】
剥離シートの外周縁部が全周にわたり仮接着剤により保持体に接着している請求項１記載の剥離シート保持体。
【請求項３】
剥離シートの外周縁部の内方部の実質上全面が仮接着剤により保持体に接着しており、剥離シートの外周縁部の内方部と保持体との接着力は、剥離シートの外周縁部と保持体との接着力に比し弱い請求項１又は２記載の剥離シート保持体。
【請求項４】
剥離シートと保持体を仮接着する仮接着剤は、剥離シートの外周縁部と内方部とで同じものであり、
剥離シートと保持体を仮接着する仮接着剤層と、剥離シート及び保持体の何れかとの間における、剥離シートの外周縁部の内方部に該当する部分に、前記仮接着剤層に接してその仮接着剤層と前記剥離シート及び保持体の何れかとの接着力を低減させるための接着力低減層を有する請求項１、２又は３記載の剥離シート保持体。
【請求項５】
保持体と少なくとも１枚の剥離後の用途に応じた印刷又はその他の加工が施された剥離シートを備え、前記保持体は前記剥離シートを仮接着剤を介して剥離可能に保持してなる剥離シート保持体を製造する方法であって、
前記保持体における、前記剥離シートを保持する部分に、前記仮接着剤を介しての剥離シートの保持を損なわない程度に離型成分を含有したインキにより、用途に応じた印刷を施す工程と、
仮接着剤層を、保持体と剥離シートが相対すべき面の全体にわたるように、前記保持体と剥離シートの一方又は両方に形成する工程と、
剥離シートの外周縁部の内方部又は保持体における剥離シートの外周縁部の内方部に対応する部分に、前記仮接着剤層に接することによりその仮接着剤層と前記剥離シート及び保持体の何れかとの接着力を低減させるための接着力低減層を形成する工程と、
前記仮接着剤層を介して保持体に剥離シートを仮接着する工程を含み、
前記剥離シートを保持体から剥離させた場合に、その剥離シートがカールした状態となりにくくすると共に、保持体における前記剥離シートの剥離により表れる部分の前記印刷が仮接着剤と共に保持体から剥がれることを防ぐことを特徴とする剥離シート保持体製造方法。
【発明の詳細な説明】
【技術分野】
【０００１】
本発明は、剥離シートを仮接着剤を介して剥離可能に保持してなる剥離シート保持体及びその製造方法に関する。
【背景技術】
【０００２】
仮接着剤を介して保持体に剥離可能に保持された剥離シートは、剥離させるとカールした状態となり易く、その後、その剥離シートに対し印刷、筆記、スキャナ等による読み取り、複数重ね合わせての保管等の処理を行う上で不都合であった。
【０００３】
実開平５−７８５８０号公報には、複数の紙片を重ね合わせてなり、所定の重ね合わせ面には隠蔽すべき情報が表示され、この重ね合わせ面が、通常では接着せず所定の圧を加えると接着可能となり、接着後には剥離可能な接着剤によって剥離可能に接着される一方、前記重ね合わせ面を形成する紙片の少なくとも一つの紙片における情報を印字しない面には、カール防止層を設けたことにより、いわゆる腰が強いものとなり、カールしなくなる隠蔽情報所持体の発明が開示されている。
【０００４】
しかしながら、このようなカール防止層を設けて腰の強いものとすると、その後の印刷等の取り扱いに支障をきたすことが生じ得ると共に、原材料費を含めた製造コストも増大することとなる。
【先行技術文献】
【特許文献】
【０００５】
【特許文献１】実開平５−７８５８０号公報
【発明の概要】
【発明が解決しようとする課題】
【０００６】
本発明は、従来技術に存した上記のような課題に鑑み行われたものであって、その目的とするところは、剥離シートを腰が強いものとすることを必要とせず製造コストが抑えられるものでありながら、保持体から剥離させることにより剥離シートがカールした状態となりにくい剥離シート保持体及びその製造方法を提供することにある。
【課題を解決するための手段】
【０００７】
上記目的を達成する本発明の剥離シート保持体は、
保持体と少なくとも１枚の剥離シートを備え、前記保持体は前記剥離シートを仮接着剤を介して剥離可能に保持してなる剥離シート保持体であって、
前記剥離シートは、その裏面が全体として前記仮接着剤により保持体に保持されており、
前記剥離シートの外周縁部と保持体との接着力に比し、前記外周縁部の内方部における剥離シートと保持体との接着力が全体として弱いことを特徴とする。
【０００８】
剥離シートは、その裏面が全体として仮接着剤により保持体に保持されているが、剥離シートの外周縁部と保持体との接着力に比し、前記外周縁部の内方部における剥離シートと保持体との接着力が全体として弱い、すなわち、剥離シートの外周縁部と保持体との接着力は比較的強い。
【０００９】
そのため、剥離シートを保持体が保持した状態においては、何らかの原因により剥離シートの外周縁部が剥離してしまうことが生じにくい。従って、剥離シートの外周縁部の一部剥離により剥離シート保持体に対する印刷や書き込み或いはその他の取り扱いに障害を引き起こすことが生じにくい。
【００１０】
剥離シートを保持体から剥離させる際は、剥離シートのうち剥離進行箇所に臨む部分に作用する張力は、剥離シートの外周縁部である剥離進行箇所の両端部を除いて比較的弱いため、全体として比較的弱い張力で剥離させることができるので、剥離後の剥離シートは、剥離時の変形が残留しにくく、カールした状態となりにくい。そのため、剥離シートに対するその後の処理、例えば、書き込み、印刷、スキャナ等による文字、記号、コード等の読み取り、複数枚の剥離シートの重ね合わせ保管等が容易である。
【００１１】
上記本発明の剥離シート保持体は、剥離シートの外周縁部が全周にわたり仮接着剤により保持体に接着しているものとすることが望ましい。
【００１２】
この場合、剥離シートの外周縁部が全周にわたり、仮接着剤により、外周縁部の内方部に比し比較的に強い接着力で保持体に接着しているので、剥離シートを保持体が保持した状態において、何らかの原因により剥離シートの外周縁部が剥離してしまうことがより確実に防がれる。
【００１３】
また上記本発明の剥離シート保持体は、剥離シートの外周縁部の内方部の実質上全面が仮接着剤により保持体に接着しており、剥離シートの外周縁部の内方部と保持体との接着力は、剥離シートの外周縁部と保持体との接着力に比し弱いものとすることができる。
【００１４】
この場合、剥離シートを保持体が保持した状態において、剥離シートの外周縁部の内方部の実質上全面が仮接着剤により保持体に接着しているため、剥離シートの前記内方部の全部又は一部が保持体から浮いた状態となって印刷やその他の取り扱いに不都合が生じることが防がれる。
【００１５】
また、剥離シートの外周縁部の内方部の実質上全面が、比較的に弱い接着力で保持体に接着しているので、剥離シートを保持体から剥離させる際に、剥離シートの外周縁部の内方部の実質上全てにおいて、作用する張力は比較的弱い。そのため、剥離後の剥離シートは、剥離時の変形が残留しにくく、カールした状態となりにくい。
【００１６】
また上記本発明の剥離シート保持体は、
剥離シートと保持体を仮接着する仮接着剤は、剥離シートの外周縁部と内方部とで同じものであり、
剥離シートと保持体を仮接着する仮接着剤層と、剥離シート及び保持体の何れかとの間における、剥離シートの外周縁部の内方部に該当する部分に、前記仮接着剤層に接してその仮接着剤層と前記剥離シート及び保持体の何れかとの接着力を低減させるための接着力低減層を有するものであることが望ましい。
【００１７】
この場合、剥離シートと保持体を仮接着する仮接着剤は、剥離シートの外周縁部と内方部とで同じものであるが、剥離シートと保持体を仮接着する仮接着剤層と、剥離シート及び保持体の何れかとの間における、剥離シートの外周縁部の内方部に該当する部分に有する接着力低減層が、前記仮接着剤層に接することにより、その仮接着剤層と前記剥離シート及び保持体の何れかとの接着力を低減させているので、剥離シートの外周縁部と保持体との接着力に比し、外周縁部の内方部における剥離シートと保持体との接着力が全体として弱いものとなっている。
【００１８】
本発明の剥離シート保持体製造方法は、
保持体と少なくとも１枚の剥離シートを備え、前記保持体は前記剥離シートを仮接着剤を介して剥離可能に保持してなる剥離シート保持体を製造する方法であって、
仮接着剤層を、保持体と剥離シートが相対すべき面の全体にわたるように、前記保持体と剥離シートの一方又は両方に形成する工程と、
剥離シートの外周縁部の内方部又は保持体における剥離シートの外周縁部の内方部に対応する部分に、前記仮接着剤層に接することによりその仮接着剤層と前記剥離シート及び保持体の何れかとの接着力を低減させるための接着力低減層を形成する工程と、
前記仮接着剤層を介して保持体に剥離シートを仮接着する工程を含むことを特徴とする。
【００１９】
この場合、仮接着剤層を、保持体と剥離シートが相対すべき面の全体にわたるように、前記保持体と剥離シートの一方又は両方に形成し、剥離シートの外周縁部の内方部又は保持体における剥離シートの外周縁部の内方部に対応する部分に、前記仮接着剤層に接することによりその仮接着剤層と前記剥離シート及び保持体の何れかとの接着力を低減させるための接着力低減層を形成し、前記仮接着剤層を介して保持体に剥離シートを仮接着することにより、保持体と少なくとも１枚の剥離シートを備え、保持体は剥離シートを仮接着剤を介して剥離可能に保持してなる剥離シート保持体であって、剥離シートは、その裏面が全体として前記仮接着剤により保持体に保持されており、前記剥離シートの外周縁部と保持体との接着力に比し、前記外周縁部の内方部における剥離シートと保持体との接着力が全体として弱い剥離シート保持体を製造することができる。
【発明の効果】
【００２０】
本発明の剥離シート保持体では、剥離シートを保持体が保持した状態において、剥離シートの外周縁部が剥離してしまうことが生じにくいので、剥離シートの外周縁部の一部剥離により剥離シート保持体に対する印刷や書き込み或いはその他の取り扱いに障害を引き起こすことが生じにくく、剥離シートを保持体から剥離させる際は、全体として比較的弱い張力で剥離させることができ、剥離後の剥離シートは剥離時の変形が残留しにくく、カールした状態となりにくいので、剥離シートに対するその後の処理、例えば、書き込み、印刷、スキャナ等による文字、記号、コード等の読み取り、複数枚の剥離シートの重ね合わせ保管等が容易である。従って、剥離シートを腰が強いものとすることを必要とせず製造コストも抑えられる。
【００２１】
本発明の剥離シート保持体製造方法によれば、本発明の剥離シート保持体を製造することができる。
【図面の簡単な説明】
【００２２】
【図１】剥離シート保持体の平面図である。
【図２】図１におけるII-II線模式断面図である。
【図３】剥離シート保持体の平面図である。
【図４】図３におけるIV-IV線模式断面図である。
【図５】剥離シート保持体の平面図である。
【図６】剥離シート保持体の平面図である。
【発明を実施するための形態】
【００２３】
本発明の実施の形態を、図面を参照しつつ説明する。図面中の符号で各図に共通のものは同一の意義である。
【００２４】
(1) 図１及び図２は、本発明の実施の形態の第１の例としての剥離シート保持体に関するものである。
【００２５】
この剥離シート保持体は、保持体Ａに１枚の剥離シートＢが保持されてなる。
【００２６】
保持体Ａは、長方形の紙製のシート体Ａｓの表面に、順に、保持体目止め層Ａ１、印刷層Ａ２、及び擬似糊による仮接着剤層Ａ３が形成されてなる。なお、保持体目止め層Ａ１は、保持体Ａを構成するシート体等の主材料や仮接着剤層Ａ３の成分によっては必要としない。また印刷層Ａ２を有しないものとすることもできる。
【００２７】
保持体目止め層Ａ１は、紙製のシート体Ａｓの表面の全面にわたり無色透明の目止め用油性ニス（ＯＰニス[オーバープリントニス]）が印刷されることにより形成されており、水分を含有する擬似糊を用いた場合のその水分による紙製シート体Ａｓの収縮を防止するものである。なお、保持体目止め層Ａ１は、通常の印刷インキ、紫外線硬化型インキ、インキ用のメジウムにより形成することもできる。
【００２８】
保持体目止め層Ａ１の上には、全面にわたり着色インキによる印刷層Ａ２が形成されている。印刷層Ａ２のうち剥離シートＢを剥離可能に保持する部分（図１及び２の例ではほぼ右半分）の全面にわたり、すなわち保持体Ａと剥離シートＢが相対すべき面の全面にわたり、感圧接着性の擬似糊を印刷することにより仮接着剤層Ａ３が形成されている。なお、剥離シートＢを保持体Ａから剥離させた際に印刷層Ａ２が擬似糊層の擬似糊と共に保持体Ａから剥がれることを防ぐ上で、保持体Ａの印刷層Ａ２を形成する着色インキに、シリコーン等の離型成分を、仮接着剤層Ａ３を介しての剥離シートＢの保持を損なわない程度に含有させることができる。
【００２９】
剥離シートＢは、紙製のシート体Ｂｓの裏面に、順に、剥離シート目止め層Ｂ１、及び接着力低減層Ｂ２が形成されてなる。なお、剥離シート目止め層Ｂ１は、保持体Ｂを構成するシート体等の主材料や仮接着剤層Ａ３の成分によっては必要としない。
【００３０】
剥離シート目止め層Ｂ１は、長方形の紙製のシート体Ｂｓの裏面の全面にわたり無色透明の目止め用油性ニス（ＯＰニス）が印刷されることにより形成されている。
【００３１】
剥離シート目止め層Ｂ１上の外周縁部Ｂｘの内方部Ｂｙの全面には、シリコーン等の離型成分を含有する無色透明（又は着色）のニスが印刷されることにより、保持体Ａの仮接着剤層Ａ３との接着力を低減させる接着力低減層Ｂ２が形成されている。剥離シート目止め層Ｂ１は、水分を含有する擬似糊を用いた場合のその水分による紙製シート体Ｂｓの収縮を防止すると共に、接着力低減層Ｂ２が表面に存在するようにしてその機能を発揮させるものである。なお、剥離シート目止め層Ｂ１は、通常の印刷インキ、紫外線硬化型インキ、インキ用のメジウムにより形成することもできる。
【００３２】
保持体Ａにおける仮接着剤層Ａ３に対し、剥離シートＢの裏面側を圧接させて仮接着することにより、本発明の剥離シート保持体が得られる。
【００３３】
剥離シートＢの裏面側のうち、接着力低減層Ｂ２が存在しない外周縁部Ｂｘ全ては、保持体Ａの仮接着剤層Ａ３と比較的強く接着し、剥離シートＢの裏面側のうち外周縁部Ｂｘの内方部Ｂｙは、接着力低減層Ｂ２において保持体Ａの仮接着剤層Ａ３と比較的弱く接着した状態となる。
【００３４】
そのため、剥離シートＢを保持体Ａが保持した状態においては、何らかの原因により剥離シートＢの外周縁部Ｂｘが剥離してしまうことが生じにくく、剥離シートＢを、その何れかの外周縁部から逆側の外周縁部に向かって（例えば図１における剥離シートＢの右下角から左上角に向かって、或いは、図１における剥離シートＢの下辺から上辺に向かって）保持体Ａから剥離させる際は、剥離シートＢのうち剥離進行箇所に臨む部分に作用する張力は、剥離シートＢの外周縁部Ｂｘである剥離進行箇所の両端部を除いて比較的弱いため、全体として比較的弱い張力で剥離させることができる。図１に二点鎖線で表されているのは剥離後の剥離シートＢである。
【００３５】
従って、剥離前の剥離シートＢの外周縁部Ｂｘが一部剥離して剥離シート保持体に対する印刷や書き込み或いはその他の取り扱いに障害を引き起こすことが生じにくく、また、剥離後の剥離シートＢは、剥離時の変形が残留しにくく、カールした状態となりにくいので、剥離シートＢに対するその後の処理、例えば、書き込み、印刷、スキャナ等による文字、記号、コード等の読み取り、複数枚の剥離シートＢの重ね合わせ保管等が容易である。
【００３６】
(2) 図３及び図４は、本発明の実施の形態の第２の例としての剥離シート保持体に関するものである。
【００３７】
この例は、保持体Ａに仮接着剤層Ａ３を形成する範囲と、剥離シートＢに接着力低減層Ｂ２を形成しない点とが、第１の例と相違するが、その他は第１の例と同様である。
【００３８】
この例における保持体Ａの仮接着剤層Ａ３は、剥離シートＢの外周縁部Ｂｘに対応する部分の全周にわたり形成されると共に、その内方部Ｂｙに、縦横間隔おきに多数満遍なく小円状に形成されている。これにより、剥離シートＢの外周縁部Ｂｘと保持体Ａとの接着力に比し、外周縁部Ｂｘの内方部Ｂｙにおける剥離シートＢと保持体Ａとの接着力が全体として弱いものとなっている。
【００３９】
(3) 図５及び図６は、それぞれ本発明の実施の形態の第３及び第４の例としての剥離シート保持体に関するものである。
【００４０】
これらの例は、保持体Ａに仮接着剤層Ａ３を形成する範囲と、剥離シートＢに接着力低減層Ｂ２を形成しない点とが、第１の例と相違するが、その他は第１の例と同様である。
【００４１】
これらの例における保持体Ａの仮接着剤層Ａ３は、剥離シートＢの外周縁部Ｂｘに対応する部分の全周にわたり形成されると共に、その内方部Ｂｙにおいて、第３の例では横方向間隔おきに縦方向細帯状に複数形成され、第４の例では剥離シートＢの一方の対角線方向の間隔おきに他方の対角線方向に平行な細帯状に複数形成されている。これにより、剥離シートＢの外周縁部Ｂｘと保持体Ａとの接着力に比し、外周縁部Ｂｘの内方部Ｂｙにおける剥離シートＢと保持体Ａとの接着力が全体として弱いものとなっている。
【００４２】
(4) 本発明における保持体は、紙、合成樹脂シート等のシート状物を主材料とするものの他、非シート状物とすることもできる。保持体がシート状物である場合の形状は長方形に限らない。保持体には、用途に応じ、必要な表示等のための印刷や、その他の加工等を施すことができる。また保持体がシート状物である場合の保持体の裏面には、例えば貼着用の接着層及び貼着時まで接着層に剥離可能に被覆する被覆シートを設けることができ、その場合、本発明の剥離シート保持体を配送先及び配送元表示体或いはその他の用途に用いることができる。また本発明の剥離シート保持体を、そのような接着層を有しない用途、例えば葉書等として用いることもできる。
【００４３】
本発明における剥離シートは、紙、合成樹脂シート等のシート状物を主材料とするものとすることができる。剥離シートは、一つの保持体に２枚以上保持されるものとすることもできる。剥離シートの形状は、長方形に限らない。また、剥離シートと保持体は、例えば同等の大きさ及び形状とすることもできる。剥離シートには、用途に応じ、必要な表示等のための印刷や、その他の加工等を施すことができる。また、剥離シートとなるべき部分を含むシート体が保持体に保持された後、そのシート体における剥離シートとなるべき部分の外周において剥離シートと残部とを切離することも可能であり、その場合例えば、剥離シートは仮接着剤により保持体に保持され、残部は接着剤により保持体に保持されるものとすることができる。
【００４４】
本発明における仮接着剤は、その仮接着剤を介して保持体が剥離シートを剥離可能に保持し得るもの、例えば感圧接着性の擬似糊（例えば水分７０重量％のアクリル樹脂エマルジョンを主成分とするもの）とすることができるが、必ずしもこれに限るものではない。
【００４５】
本発明における仮接着剤による仮接着剤層は、保持体と剥離シートが相対すべき面の全体にわたるように、保持体と剥離シートの一方又は両方に形成することができる。例えば保持体と剥離シートの一方にのみ形成することができる他、保持体と剥離シートの両方における互いに重合する位置に設けることや、保持体と剥離シートの両方における互いに重合しない位置に設けることも可能である。
【００４６】
本発明の剥離シートは、その裏面が全体として仮接着剤により保持体に保持されるものである。従って例えば、剥離シートの裏面の実質上全面が仮接着剤により保持体に剥離可能に保持されている場合のほか、剥離シートの裏面がほぼ満遍なく仮接着剤により保持体に剥離可能に保持されている場合を含む。
【００４７】
本発明においては、剥離シートの外周縁部と保持体との接着力に比し、前記外周縁部の内方部における剥離シートと保持体との接着力が全体として弱い。
【００４８】
例えば、剥離シートの外周縁部の内方部の実質上全面が仮接着剤により保持体に接着しており、剥離シートの外周縁部の内方部と保持体との接着力は、剥離シートの外周縁部と保持体との接着力に比し弱いものとすることができる。
【００４９】
或いは例えば、剥離シートの外周縁部の内方部における剥離シートと保持体との接着力が、分散した複数個所において外周縁部と保持体の接着力と同等程度であるが、剥離シートの外周縁部の内方部における他の部分は外周縁部に比し保持体との接着力が低いか接着力が存在しないものとし、これにより、剥離シートの外周縁部と保持体との接着力に比し、前記外周縁部の内方部における剥離シートと保持体との接着力が全体として弱いものとすることができる。
【００５０】
或いは例えば、剥離シートと保持体との仮接着は、剥離シートの外周縁部と内方部とで同じ仮接着剤が全面にわたり用いられ、剥離シートの裏面の内方部の全面に、保持体の仮接着剤層に接してその仮接着剤層と剥離シートとの接着力を低減させるための接着力低減層を有するものとすることができる。剥離シートの裏面に仮接着剤層を設ける場合は、保持体の側に接着力低減層を設けることができる。仮接着剤層を保持体と剥離シートの両方に設ける場合は、接着力低減層を、両仮接着剤層の間に位置するように保持体と剥離シートの一方又は両方に設けることができる。
【００５１】
剥離シートの前記外周縁部としては、例えば外周から１０ｍｍ程度内方までの部分、好ましくは外周から２乃至５ｍｍ程度内方までの部分とすることができる。
【００５２】
剥離シートの外周縁部は、全周にわたり仮接着剤により保持体に接着しているものであることが好ましく、外周縁部は全周にわたり、その内方部よりも接着力が強いことが好ましい。剥離シートを保持体が保持した状態において、何らかの原因により剥離シートの外周縁部が剥離してしまうことがより確実に防がれるからである。
【００５３】
なお、以上の実施の形態についての記述における上下位置関係は、単に図に基づいた説明の便宜のためのものであって、実際の使用状態等を限定するものではない。
【符号の説明】
【００５４】
Ａ      保持体
Ａｓ    シート体
Ａ１    保持体目止め層
Ａ２    印刷層
Ａ３    仮接着剤層
Ｂ      剥離シート
Ｂｓ    シート体
Ｂ１    剥離シート目止め層
Ｂ２    接着力低減層
Ｂｘ    外周縁部
Ｂｙ    内方部
【図１】
0005931245.tif 000002
【図２】
0005931245.tif 000003
【図３】
0005931245.tif 000004
【図４】
0005931245.tif 000005
【図５】
0005931245.tif 000006
【図６】
0005931245.tif 000007